【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
ローカル・ウェブ・サーバを内在する記憶デバイス、
前記記憶デバイスへ作動可能に接続されるように構成されたホスト・デバイス、および
前記ローカル・ウェブ・サーバと前記ホスト・デバイスへ作動可能に接続されたリモート・ウェブ・サーバとの間で自主的に情報を交換するように構成された、前記ホスト・デバイスに内在された交換メカニズムからなり、
前記記憶デバイスが前記情報の前記交換を開始するように構成されている、システム。
【請求項２】
前記ホスト・デバイスが、前記交換メカニズムとのインターフェイスとしてローカルウエブサーバエージェント（ＬＷＳＡ）を含む、請求項１のシステム。
【請求項３】
前記情報を求めるホスト・アプリケーション要求に対して前記ローカル・ウェブ・サーバが前記記憶デバイスから前記情報を入手できない場合、前記記憶デバイスが前記情報の交換を開始するように構成された、請求項１のシステム。
【請求項４】
前記情報が一つもしくは複数のデータ・パケットからなる、請求項１のシステム。
【請求項５】
前記リモート・ウェブ・サーバが、前記情報の前記交換を開始するように構成されている、請求項１のシステム。
【請求項６】
前記記憶デバイスが、利用可能なネットワーク帯域幅の指示に応答して、前記情報の前記交換を開始するように構成されている、請求項１のシステム。
【請求項７】
前記記憶デバイスがプロトコルに基づいて前記情報の交換を優先して行うようになっており、
前記プロトコルが、データ使用に関する、少なくとも一つの一時的なパラメータに従って、前記データ使用の統計を考慮する、請求項１のシステム。
【請求項８】
前記少なくとも一つの一時的なパラメータが、データ使用時間、データ使用日数、データ使用日付又はデータ使用場所を含む、請求項７のシステム。
【請求項９】
前記記憶デバイスがプロトコルに基づいて前記情報の交換を優先して行うようになっており、
前記プロトコルが、前記ホスト・デバイスと前記記憶デバイスとの間のトランザクションを考慮する、請求項１のシステム。
【請求項１０】
前記ホスト・デバイスが、前記リモート・ウェブ・サーバと前記情報を交換するために、通信スタックとデバイス・マネージャとの間の内部通信リンクを含む、請求項１のシステム。
【請求項１１】
前記記憶デバイスがフラッシュメモリ・デバイスである、請求項１のシステム。
【請求項１２】
前記記憶デバイスがサブスクライバ・アイデンディティ・モジュール（ＳＩＭ）カードである、請求項１のシステム。
【請求項１３】
ホスト・デバイスへ接続させるためのインターフェイス、および
記憶デバイスが前記ホスト・デバイスに接続されたときに、前記インターフェイスを介して且つ前記ホスト・デバイスを通ってリモート・ウェブ・サーバとの情報の交換を開始するように構成されているローカル・ウェブ・サーバからなる、記憶デバイス。
【請求項１４】
前記記憶デバイスがフラッシュメモリ・デバイスからなる、請求項１３の記憶デバイス。
【請求項１５】
前記記憶デバイスがサブスクライバ・アイデンディティ・モジュール（ＳＩＭ）カードからなる、請求項１３の記憶デバイス。
【請求項１６】
前記記憶デバイスがプロトコルに基づいて前記情報の交換を優先して行うようになっており、前記プロトコルが、データ使用時間、データ使用日数、データ使用日付およびデータ使用場所の少なくとも一つに従って、データ使用の統計を考慮する、請求項１３の記憶デバイス。
【請求項１７】
前記ローカル・ウェブ・サーバが前記記憶デバイスから前記情報を取得できない時には、前記ローカル・ウェブ・サーバは前記情報の交換を開始するように構成された、請求項１３の記憶デバイス。
【請求項１８】
ホスト・デバイスから、ローカル・ウェブ・サーバを含む記憶デバイスへウェブ・ホスティング・サービスを提供する方法であって、
前記ホスト・デバイスを前記記憶デバイスと作動可能に接続するステップ、
ネットワークへ前記ホスト・デバイスを作動可能に接続するステップ、および
前記ホスト・デバイスにおいて第１の情報を供給する要求を受け取るステップを備え、
前記要求が前記第１の情報を前記ローカル・ウェブ・サーバに供給することを含むときには、前記ホスト・デバイスによってリモート・ウェブ・サーバから前記第１の情報を引き出すステップと、前記ホスト・デバイスから前記ローカル・ウェブ・サーバに前記第１の情報を供給するステップを含み、前記第１の情報を引き出すステップおよび供給するステップは自主的に行われ、
前記要求が前記第１の情報を前記リモート・ウェブ・サーバに供給することを含むときには、前記ホスト・デバイスによってローカル・ウェブ・サーバから前記第１の情報を引き出すステップと、前記ホスト・デバイスによって前記リモート・ウェブ・サーバに前記第１の情報を供給するステップを含み、前記第１の情報を引き出すステップおよび供給するステップは自主的に行われる、方法。
【請求項１９】
前記記憶デバイスがフラッシュメモリ・デバイスである、請求項１８の方法。
【請求項２０】
前記記憶デバイスがサブスクライバ・アイデンディティ・モジュール（ＳＩＭ）カードである、請求項１８の方法。
【手続補正２】
【補正対象書類名】明細書
【補正対象項目名】００１８
【補正方法】変更
【補正の内容】
【００１８】
本発明に係るデジタル・データ処理システムは、ローカル・ウェブ・サーバを内在する記憶デバイス、前記記憶デバイスへ作動可能に接続されるように構成されたホスト・デバイス、および前記ローカル・ウェブ・サーバと前記ホスト・デバイスへ作動可能に接続されたリモート・ウェブ・サーバとの間で自主的に情報を交換するように構成された、前記ホスト・デバイスに内在された交換メカニズムからなり、前記記憶デバイスが前記情報の前記交換を開始するように構成されている。
【手続補正３】
【補正対象書類名】明細書
【補正対象項目名】００１９
【補正方法】変更
【補正の内容】
【００１９】
上記システムにおいて、好ましくは、前記ホスト・デバイスが、前記交換メカニズムとのインターフェイスとしてローカルウエブサーバエージェント（ＬＷＳＡ）を含む。
【手続補正４】
【補正対象書類名】明細書
【補正対象項目名】００２０
【補正方法】変更
【補正の内容】
【００２０】
上記システムにおいて、好ましくは、前記情報を求めるホスト・アプリケーション要求に対して前記ローカル・ウェブ・サーバが前記記憶デバイスから前記情報を入手できない場合、前記記憶デバイスが前記情報の交換を開始するように構成される。
【手続補正５】
【補正対象書類名】明細書
【補正対象項目名】００２１
【補正方法】変更
【補正の内容】
【００２１】
上記システムにおいて、好ましくは、前記情報が一つもしくは複数のデータ・パケットからなる。また好ましくは、前記リモート・ウェブ・サーバが、前記情報の前記交換を開始するように構成されている。
【手続補正６】
【補正対象書類名】明細書
【補正対象項目名】００２２
【補正方法】変更
【補正の内容】
【００２２】
上記システムにおいて、好ましくは、前記記憶デバイスが、利用可能なネットワーク帯域幅の指示に応答して、前記情報の前記交換を開始するように構成されている。
【手続補正７】
【補正対象書類名】明細書
【補正対象項目名】００２３
【補正方法】変更
【補正の内容】
【００２３】
上記システムにおいて、好ましくは、前記記憶デバイスがプロトコルに基づいて前記情報の交換を優先して行うようになっており、前記プロトコルが、データ使用に関する、少なくとも一つの一時的なパラメータに従って、前記データ使用の統計を考慮する。
【手続補正８】
【補正対象書類名】明細書
【補正対象項目名】００２４
【補正方法】変更
【補正の内容】
【００２４】
上記システムにおいて、好ましくは、前記少なくとも一つの一時的なパラメータが、データ使用時間、データ使用日数、データ使用日付又はデータ使用場所を含む。
【手続補正９】
【補正対象書類名】明細書
【補正対象項目名】００２５
【補正方法】変更
【補正の内容】
【００２５】
上記システムにおいて、好ましくは、前記記憶デバイスがプロトコルに基づいて前記情報の交換を優先して作動するようになっており、前記プロトコルが、前記ホスト・デバイスと前記記憶デバイスとの間のトランザクションを考慮する。
【手続補正１０】
【補正対象書類名】明細書
【補正対象項目名】００２６
【補正方法】変更
【補正の内容】
【００２６】
上記システムにおいて、好ましくは、前記ホスト・デバイスが、前記リモート・ウェブ・サーバと前記情報を交換するために、通信スタックとデバイス・マネージャとの間の内部通信リンクを含む。
【手続補正１１】
【補正対象書類名】明細書
【補正対象項目名】００２７
【補正方法】変更
【補正の内容】
【００２７】
上記システムにおいて、好ましくは、前記記憶デバイスがフラッシュメモリ・デバイスである。また、好ましくは、前記記憶デバイスがサブスクライバ・アイデンディティ・モジュール（ＳＩＭ）カードである。
【手続補正１２】
【補正対象書類名】明細書
【補正対象項目名】００２８
【補正方法】変更
【補正の内容】
【００２８】
一方、本発明に係る記憶デバイスは、ホスト・デバイスへ接続させるためのインターフェイス、および記憶デバイスが前記ホスト・デバイスに接続されたときに、前記インターフェイスを介して且つ前記ホスト・デバイスを通ってリモート・ウェブ・サーバとの情報の交換を開始するように構成されているローカル・ウェブ・サーバからなる。
【手続補正１３】
【補正対象書類名】明細書
【補正対象項目名】００２９
【補正方法】変更
【補正の内容】
【００２９】
上記記憶デバイスにおいて、好ましくは、前記記憶デバイスがフラッシュメモリ・デバイスからなる。また好ましくは、前記記憶デバイスがサブスクライバ・アイデンディティ・モジュール（ＳＩＭ）カードからなる。
【手続補正１４】
【補正対象書類名】明細書
【補正対象項目名】００３０
【補正方法】変更
【補正の内容】
【００３０】
上記記憶デバイスにおいて、好ましくは、前記記憶デバイスがプロトコルに基づいて前記情報の交換を優先して作動するようになっており、前記プロトコルが、データ使用時間、データ使用日数、データ使用日付およびデータ使用場所の少なくとも一つに従って、データ使用の統計を考慮する。
【手続補正１５】
【補正対象書類名】明細書
【補正対象項目名】００３１
【補正方法】変更
【補正の内容】
【００３１】
上記記憶デバイスにおいて、好ましくは、前記ローカル・ウェブ・サーバが前記記憶デバイスから前記情報を取得できない時には、前記ローカル・ウェブ・サーバは前記情報の交換を開始するように構成される。
【手続補正１６】
【補正対象書類名】明細書
【補正対象項目名】００３２
【補正方法】変更
【補正の内容】
【００３２】
また、本発明の方法は、ホスト・デバイスから、ローカル・ウェブ・サーバを含む記憶デバイスへウェブ・ホスティング・サービスを提供する方法であって、前記ホスト・デバイスへ前記記憶デバイスを作動可能に接続するステップ、ネットワークへ前記ホスト・デバイスを作動可能に接続するステップ、および前記ホスト・デバイスにおいて第１の情報を供給する要求を受け取るステップを備え、前記要求が前記第１の情報を前記ローカル・ウェブ・サーバに供給することを含むときには、前記ホスト・デバイスによってリモート・ウェブ・サーバから前記第１の情報を引き出すステップと、前記ホスト・デバイスから前記ローカル・ウェブ・サーバに前記第１の情報を供給するステップを含み、前記第１の情報を引き出すステップおよび供給するステップは自主的に行われ、前記要求が前記第１の情報を前記リモート・ウェブ・サーバに供給することを含むときには、前記ホスト・デバイスによってローカル・ウェブ・サーバから前記第１の情報を引き出すステップと、前記ホスト・デバイスによって前記リモート・ウェブ・サーバに前記第１の情報を供給するステップを含み、前記第１の情報を引き出すステップおよび供給するステップは自主的に行われる。
【手続補正１７】
【補正対象書類名】明細書
【補正対象項目名】００３３
【補正方法】変更
【補正の内容】
【００３３】
上記記憶デバイスにおいて、好ましくは、前記記憶デバイスがフラッシュメモリ・デバイスである。また、好ましくは、前記記憶デバイスがサブスクライバ・アイデンディティ・モジュール（ＳＩＭ）カードである。
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】削除
【補正の内容】